(57)【要約】【課題】記帳機能の稼働安定性を向上させることが可能な通帳記帳機を提供する。【解決手段】挿入口から挿入された通帳を搬送する搬送路と、搬送路の搬送方向の両側に設けられた第１の搬送基準面および第２の搬送基準面と、第１の搬送基準面から所定のカード媒体幅以下の位置に通帳の厚みを検知する第１の厚み検知ローラと、第２の搬送基準面からカード媒体幅以下の位置に通帳の厚みを検知する第２の厚み検知ローラとを有した厚み検知機構と、を備える。【選択図】  図４
2018165923.tif 000002
【特許請求の範囲】
【請求項１】
挿入口から挿入された通帳を搬送する搬送路と、
前記搬送路の搬送方向の両側に設けられた第１の搬送基準面および第２の搬送基準面と、
前記第１の搬送基準面から所定のカード媒体幅以下の位置に前記通帳の厚みを検知する第１の厚み検知ローラと、前記第２の搬送基準面から前記カード媒体幅以下の位置に前記通帳の厚みを検知する第２の厚み検知ローラとを有した厚み検知機構と、
を備えることを特徴とする通帳記帳機。
【請求項２】
前記厚み検知機構は、前記第１の厚み検知ローラと前記第２の厚み検知ローラとの間の距離は、前記カード媒体幅以下となるように配置されている、
ことを特徴とする請求項１に記載の通帳記帳機。
【請求項３】
前記通帳記帳機には、前記通帳の磁気情報を読み取るための磁気情報読取部と、前記通帳の頁を認識するための光学読取部と、前記頁に取引情報を印字する印字部とがこの順序で前記通帳の搬送方向に配置され、
前記第１の厚み検知ローラおよび前記第２の厚み検知ローラは、少なくとも前記磁気情報読取部以前の前記挿入口側の位置に配置されている、
ことを特徴とする請求項１に記載の通帳記帳機。
【請求項４】
前記厚み検知機構は、前記第１の厚み検知ローラおよび前記第２の厚み検知ローラに共通の回転軸と、前記回転軸を支持するブラケットと、前記搬送路から離間または近接する方向に前記ブラケットが回動する取付け軸とを備え、
前記搬送路を搬送されてきた通帳の厚みにより前記ブラケットが前記取付け軸を中心に前記離間する方向に変位する、
ことを特徴とする請求項１に記載の通帳記帳機。
【請求項５】
前記第１の厚み検知ローラおよび前記第２の厚み検知ローラの変位量を検知するためのセンサと、前記センサを遮蔽するための回転板であって前記ブラケットからの押し下げ力を受けて前記回転板を回転させる腕部を有した前記回転板と、前記腕部による前記回転板の回転量を測定するためのスリットと、
を備えることを特徴とする請求項４に記載の通帳記帳機。
【請求項６】
前記第１の厚み検知ローラおよび前記第２の厚み検知ローラは、押圧によるローラ表面のつぶれ量が０．４ｍｍ以下の剛体により形成される、
ことを特徴とする請求項１に記載の通帳記帳機。
【請求項７】
前記第１の厚み検知ローラは、前記第１の搬送基準面から５３ｍｍ未満の位置に配置され、前記第２の厚み検知ローラは、前記第１の搬送基準面から８７ｍｍを越える位置に配置される、
ことを特徴とする請求項１に記載の通帳記帳機。
【請求項８】
前記第１の厚み検知ローラと前記第２の厚み検知ローラとの間の距離が５４ｍｍ未満となるように配置されている、
ことを特徴とする請求項２に記載の通帳記帳機。
【発明の詳細な説明】
【技術分野】
【０００１】
本発明は、通帳記帳機に関する。
【背景技術】
【０００２】
ＡＴＭ（Automated Teller Machine）など通帳を扱う自動記帳機能を持つ装置において、通帳の頁間にカードなど異物が挟まれた通帳を扱うことは装置および通帳ともに不都合を生じることがある。そのため、このような機器では、それら異物の介在を機器で行われる印字処理や磁気処理等の通帳に関する処理の前に察知することが望ましい。このような技術として、例えば、特許文献１では、通帳挿入口に段差を設けてカードのような平板状の異物が通帳に挟まれた場合、その通帳が段差に倣って撓まないことで、通帳自体の挿入ができないようにする方法がある。
【先行技術文献】
【特許文献】
【０００３】
【特許文献１】特開２００２−２１１８０１号公報
【発明の概要】
【発明が解決しようとする課題】
【０００４】
ＡＴＭなどに搭載されている通帳記帳機で扱われる通帳には、利用者が通帳と同じくＡＴＭで使うキャッシュカードを通帳頁間に挟んで保持されている場合がある。この場合、利用者はキャッシュカードを挟んでいることを気付かず、あるいは意識せず通帳をその状態で記帳機に挿入されることがある。
【０００５】
通帳は開いた頁によって厚さが異なるため、通帳が通帳記帳機内を搬送通過できる隙間（搬送路高さ）は最低でも閉じ通帳の厚さが搬送できる高さを持つのが一般的構造である。しかし、挿入される頁によっては、その開頁厚さにキャッシュカードの厚みを足した厚みが閉じ通帳の厚みを下回ることもあるため、この場合には通帳はキャッシュカードを挟んだ状態で機器内部に搬送されてしまう。その状態で機器に取りこまれた通帳は磁気処理や印字処理や改頁処理などの各種処理が行なわれるが、挟まれたキャッシュカードなど厚みのある異物が通帳磁気ストライプ位置に掛かっている状態で機器側が磁気読取りや書き込みなどの処理を行なおうとすると、磁気ストライプ内のうちカード端が掛かった部位はストライプ面の平坦度が損なわれ走査する磁気ヘッドはストライプに対し磁気処理するに十分な密着ができず、磁気処理エラーになる。
【０００６】
また、印字処理では、印字頁の裏側にカードなど異物がある場合、印字紙面が凹凸状態になり、印字ヘッドが印字するに必要な紙面間までの距離が安定せず印字かすれや印字抜けといった不具合を生じる。さらには改頁処理によってそれまで挟まれていた異物が処理中通帳の表面に現れることがあるが、その際の異物は通帳に固定されたものではないため改頁後の搬送動作において搬送路に取り残されることがある。このように取り残された異物の位置が搬送路の通帳通過検知センサ上であることも有り得る。その場合、機器は通帳搬送の異常として検知し、搬送エラーとなり、これら障害発生時には通帳内の情報が壊れて使えないことや、ＡＴＭが停止するなど媒体・機器運用両面への影響が大きい。ゆえにこれら通帳に挟まれた異物による不都合事象を減らすことが求められる。
【０００７】
本発明の目的は、記帳機能の稼働安定性を向上させることが可能な通帳記帳機を提供することである。
【課題を解決するための手段】
【０００８】
本発明は、挿入口から挿入された通帳を搬送する搬送路と、前記搬送路の搬送方向の両側に設けられた第１の搬送基準面および第２の搬送基準面と、前記第１の搬送基準面から所定のカード媒体幅以下の位置に前記通帳の厚みを検知する第１の厚み検知ローラと、前記第２の搬送基準面から前記カード媒体幅以下の位置に前記通帳の厚みを検知する第２の厚み検知ローラとを有した厚み検知機構と、を備えることを特徴とする通帳記帳機として構成される。
【発明の効果】
【０００９】
本発明によれば、記帳機能の稼働安定性を向上させることができる。
【図面の簡単な説明】
【００１０】
【図１】通帳記帳機の内部構成図
【図２】通帳記帳機の従来の動作フロー例
【図３】開通帳とキャッシュカード
【図４】搬送路における厚み検知搬送ローラ対の左右配置
【図５】キャッシュカードが左右端に倣って通帳に挟まれた状態
【図６】厚み検知押圧ローラの支持構造体（ローラブラケット）
【図７】厚み検知センサの構造
【図８】通帳の厚み
【図９】通帳搬送側面図
【図１０】キャッシュカードが挟まれた通帳の検出
【図１１】キャッシュカードが横向きに挟まれた通帳
【図１２】通帳の２冊重ね挿入状態
【発明を実施するための形態】
【００１１】
以下に添付図面を参照して、通帳記帳機の実施の形態を詳細に説明する。
【００１２】
図１は、本実施例における通帳記帳機（以下、記帳機）の機能構成を示した図であり、図２はＡＴＭでの一般的な通帳処理の流れを示したフローである。記帳機は利用者によって挿入された通帳１０１を受入れ、モータなどの回転駆動源を持つ搬送ローラ対により機器内部に搬送される。
【００１３】
搬送路には通帳の情報を認識する手段として既印字済み行と各頁を認識するためのバーコードである頁マークを読取る光学読取り部１０２と、口座情報が記録された通帳磁気ストライプに対してその情報を読み取ったり、口座情報を更新する磁気処理部１０３と、入金結果等の取引情報を通帳に印字する印字部１０４と、通帳頁を捲る頁捲り機構部１０５と、通帳の挿入口１０６と、挿入された通帳を搬送路上で搬送する搬送ローラ１０７（幅寄せ搬送ローラ１０７Ａ、搬送ローラ１０７Ｂ）と、通帳の厚みを検知する厚み検知ローラ１０８と、通帳を搬送先に搬送する搬送路１０９と、通帳記帳機の各部の動作を制御する制御部１１０とを有している。
【００１４】
機器内に搬送されてきた通帳は、まず、光学読取り部１０２および磁気処理部１０３で通帳の口座情報を読取り取引き継続可否を判断する情報を取得する（２０１、２０２）。制御部１１０は、ステップ２０１、２０２でこれらの情報が正しく読み取られたか否かを判定し（２０３）、これらの情報が正しく読み取られていないと判定した場合（２０３；Ｎｏ）、通帳返却に進む（２１２）。
【００１５】
また、制御部１１０は、これらの情報が正しく読み取られたと判定した場合（２０３；Ｙｅｓ）、取得した情報を不図示のバス等の通信路を介して上位装置であるＡＴＭの制御部に転送し、そこで解析された結果が当該通帳記帳機にて取り扱うか否かを判断される（２０３、２０４）。磁気情報が正しく読取れたとしても他の金融機関の通帳であった場合、すなわち当該通帳記帳機にて取り扱う通帳でないと判断された場合（２０３；Ｎｏ）や、通帳に記帳すべき未記帳データが無いと判定した場合（２０４；Ｎｏ）、ステップ２１２に進み、通帳は取り扱うことなく利用者へ返却される。
【００１６】
これに対し、制御部１００は、当該金融機関の通帳であると判定し（２０４；Ｙｅｓ）、かつ未記帳データ有りと判定した場合（２０５；Ｙｅｓ）、通帳の取引きを受け付け、その後未記帳データやＡＴＭの場合当該取引きで入出金が成されれば、その結果は印字部１０４にて印字される(２０６)。この印字処理において頁行が満行、かつ未だ未記帳データが有る場合（２０７；Ｙｅｓ）、次頁に印字を行なうために通帳は頁捲り機構部１０５へ搬送され目的頁を目指して捲られることとなる(２０８)。
【００１７】
通帳の頁捲り後、制御部１１０は、正しい目的頁か否かを確認するために光学読取り部１０２で頁マークのチェックを行い(２０９)、正しければ通帳は印字部１０４へ搬送し、所定の印字行に未記帳データが印字される(２１０)。印字処理後は磁気処理部１０３に搬送され、印字内容に一致した口座情報を磁気ストライプに記録し(２１１)、これにて該通帳の更新が終了となり、その後挿入口１０６へ排出され、利用者が受け取りＡＴＭでの取引き終了となる（２１２）。
【００１８】
図３は、本実施例で用いられる通帳とキャッシュカードの例を示す図である。一般的な通帳は、上下に頁を開いた状態での捲り方向の長さ３０１が縦１７５ｍｍ、幅方向の長さ３０２が横１４０ｍｍのサイズが日本国内に多く流通している。この通帳をＡＴＭなどに備えられた記帳機に挿入する際は、頁を上下に開き上頁（印字行の小さい頁）を先頭にして挿入する。記帳機は正常には通帳のみを記帳機に挿入する前提としているが、実際は通帳の頁間にメモ紙や付箋などの異物が挟まれている場合が有り、その異物に起因するハード故障や通帳ジャム、更には異物が記帳機搬送路内に落ちて取り残されることによる残留検知といった障害が散見される。通帳に挟まれる異物としては、平板状の媒体であるキャッシュカードの類も多い割合を占めている。装置障害を調査した結果では原因の４割程度がキャッシュカードといった稼働例もある。
【００１９】
キャッシュカードのサイズは、ＪＩＳ規格によれは挿入方向の長さ３０３である縦８５．６ｍｍ×幅方向の長さ３０４である横５４ｍｍ×厚み０．７６ｍｍである。そのサイズは上記の開通帳サイズにおいて上下頁いずれにも収まり得ることができてしまうため、ＡＴＭ利用者は、カードを挟んだ通帳をその状態に気付くことなく記帳機に挿入することがある。こうして挿入されるキャッシュカードを挟んだ通帳は、通帳記帳機が処理すべき頁紙面、表紙面に段差を生じ、印字の際には印字ヘッドがその段差に引っ掛ることによるハード異常が発生してしまう。また、印字が正しく出来ないといった不具合や、改頁によってキャッシュカードが頁表面に現れることで改頁動作後の搬送不良やキャッシュカードが搬送路に落ちることで搬送路センサを塞ぎ、搬送状態の異常といった障害が生じる。
【００２０】
次に、本実施例における通帳記帳機の構成とその作用について説明する。図４は、図１に示した通帳記帳機が有する厚み検知ローラ１０８周辺の配置を示す上面図である。挿入口１０６から挿入された通帳は、記帳機に挿入されると必ず光学読取り部１０２および磁気記録処理部１０３へ搬送されその通帳の取引き可否を判断される。厚み検出ローラ１０８は、通帳が挿入口１０６から機器内に挿入されてこれら光学読取り部１０２や磁気記録処理部１０３での読み取り搬送の際に通過する位置に配置される。このような配置とすることで既存の通帳吸入時の搬送で通過できる位置としている。
【００２１】
なお、通帳は挿入されると片寄せ機能のあるテーパ状の入口ローラである幅寄せローラ１０７Ａによって搬送路左右幅方向の搬送基準面４０２に寄せられて搬送されるが、搬送路幅４０１自体も通帳が搬送中に極力傾くことが無い様、通帳幅プラス０．２ｍｍなど通帳の側圧抵抗に成り得ず、かつ必要最小限のクリアランスを持った幅としている。通帳が搬送幅４０１の左端にある搬送基準面４０２に寄せられ倣って搬送される場合、この搬送路幅における厚み検知ローラ１０８のローラ駒の位置は、左側の駒の左端位置４０３を搬送左端面から５３ｍｍ未満の位置に配置する。一方、右側の駒の右端位置４０４を、上記搬送基準面４０２から８７ｍｍ以上の位置に配置する。このように厚み検知ローラ１０８を配置することで、図５に示すように、通帳５０１の中に挟まれたキャッシュカード５０２は、搬送方向を縦長方向として挟まれ通帳幅の左端側である搬送基準面４０２に幅寄せされたキャッシュカード５０２ａ、あるいは搬送基準面４０２を通帳幅の右端側に下場合における当該基準面に幅寄せされたキャッシュカード５０２ｂのように、カード辺が倣っているとしても必ず厚み検知ローラ１０８はキャッシュカードを踏むことが可能となる。
【００２２】
但し、搬送ローラ対は一般的には一軸に２駒以上で形成されるため、本例のように２駒の場合はローラ駒に踏まれる事無くローラ駒間の間にキャッシュカードが通過することがあってはならない。したがって、厚み検知ローラ１０８のローラ２駒の端面間の距離５０３は、キャッシュカードの幅方向の長さ３０４（５４ｍｍ幅）より短い距離を保ちつつ、図４および上記にも記したように、左端にある搬送基準面４０２から、それぞれ５３ｍｍ未満、８７ｍｍ以上の配置としている。以上のローラ駒配置とすることで、キャッシュカードが挟まれたところの通帳部位は、搬送の際に必ず厚み検知ローラによって狭持され踏まれる。
【００２３】
厚み検知ローラ１０８は、他の搬送ローラと同様に、上下で対を成す構成となっている。その内の一方のローラ軸Ａ（図６）は、搬送路１０９の左右フレームに軸穴を持ち、当該軸は上下変移することなく、図示なきモータなど回転駆動源からギヤ、ベルトなどの回転伝達系を介して搬送ローラを回転する。図６で示す様に、本実施例では水平搬送面に対し厚み検知ローラ１０８のローラ対のうち上ローラ６０１を、上記ローラ軸Ａに固定されるローラとしており、ベアリングなどの回転軸受け部材を介し左右フレーム（左フレーム６０６、右フレーム６０７）に組みつけてある。厚み検知ローラ１０８のローラ駒は、狭持するキャッシュカードの厚み分に追従して押圧ローラが上下変移できるように、押圧によるローラ表面のつぶれ量は０．４ｍｍ以下の剛体により形成されることが望ましい。
【００２４】
上記上ローラ６０１に対しもう一方、水平搬送面に対し厚み検知ローラ対の下側のローラ軸は押圧ローラ６０２の軸であり、複数のローラ駒（本実施例では２駒）に共通する１本の回転軸Ａ’上に配している。また、ローラ支持構造体であるＬ字型のローラブラケット６０３は、上記軸Ａ’に備え付けられている。さらに、ローラブラケット６０３は、搬送路下面の裏にある取付け軸６０４に接続され、当該取付け軸６０４を中心として、搬送路の搬送面から離間または近接する方向である図中Ｘ方向に回動する。ローラブラケット６０３の取付け軸６０４側の一端は、支持した押圧ローラが通帳を搬送狭持できるよう、かつ通帳を通帳が無い状態でも軸固定の上ローラ６０１に狭持力を掛けた状態で接する様、ばね６０５等の弾性部材によって、取付け軸６０４側の一端が搬送面とは離れる向き（図６では下向き）に引っ張られている。この構造において、上下変移する押圧ローラ６０２の軸Ａ’は、ローラ駒数に関わらず１本の軸でありローラブラケット自身の取付け軸６０４も１本の軸である。この構造ゆえ、押圧ローラ６０２は、通帳を狭持していない状態から、押圧ローラの軸Ａ’上のいずれかのローラ駒だけで通帳を搬送狭持した場合であっても、押圧ローラ６０２の軸Ａ’全体が上下に変移する。したがって、それを支えるローラブラケット６０３は、取付け軸６０４を回動支点とした回転動作をする。
【００２５】
図７に示すセンサ７０１は、ローラブラケット６０３からの作用を受けて、通帳の厚みを検出する感受体として備えられている。本実施例においては、センサ７０１は、発光素子と受光素子の対およびその受発光軸７０２を遮蔽する回転板７０３で構成されるものである。このセンサ(７０１)に対しローラブラケット(６０３)は、搬送されてきた通帳によって押し下げられ、Ｌ字型の腕部の一端Ｐをセンサ７０１の回転板７０３に触れることにより、回転板７０３の凸部Ｑに押し下げられる作用をする形状となっている。作用時には回転板７０３がセンサ受発光間を遮蔽させる役割を担う。本実施例では狭持した厚みを計る必要があり、その検出手段として一般的な変移検出型センサを用いている。このセンサ７０１は、受発光軸７０２とそれを遮る上記回転板７０３が組み込まれている。回転板７０３は回転軸７０４を持ち、外部から押し当たられるなどの作用が無い状態ではバネ力で一方向（図中Ｒ方向）にガタ寄せされている。更にはこの回転板７０３は、微細なスリット７０５がエンコーダのごとく複数個形成され、スリット７０５が光受発光軸７０２に重なった際にセンサ７０１は透過を感受することになる。
【００２６】
ここで形成されるスリット７０５は、スリットとスリットのピッチによって０．０５ｍｍ以下を検出できるものであり、ローラブラケット６０３のセンサ作用部である上記一端Ｐは、この回転板７０３を押すことでローラブラケット６０３の回動量を計測できる。上記０．０５ｍｍはキャッシュカードの厚み０．７６ｍｍに対しては１０分の１以下であり、少なくともキャッシュカードの挟み込みを検出するには十分な分解能である。更に厚み量測定の原理を補足しておく。厚み検知ローラ１０８が狭持した通帳厚みに応じてセンサ７０１の遮蔽量が異なるが、遮蔽部にスリットがあることで遮蔽範囲Ｘ°の合間に発生する透過の検出回数も異なる。つまり、厚み検知はセンサ遮蔽中の透過検出回数の違いで厚みを計ることが可能となる。
【００２７】
次に、検知した厚みの妥当性を判断する制御部１１０による解析方法を説明する。図８のように、通帳は開いて記帳機に矢印８０３の方向に挿入される。この場合、挿入される頁は取引きごとに区々であり、挿入時の先端となる側の上頁８０１が頁数が小さい若い頁であれば表紙と中頁の合計厚みは薄く、その分下頁８０２の合計厚みは厚いものとなる。またその逆も有り得る。中央頁を開いている場合は上下頁とも同じ合計厚みとなる。つまりは上頁側と下頁側を足した厚みは閉じ通帳の厚みということである。一般に通帳は構成する中頁の枚数に応じて閉じ通帳厚みが仕様定義されており、この閉じ通帳の厚み仕様値を基準にして異物が挟まれているか否かを判断する。
【００２８】
上記判断方法の具体例を図９にて説明する。閉じ通帳厚みは２．０６〜２．１７ｍｍの中紙枚数７枚で構成された通帳９０１は、２頁目を開いて挿入されたとする。中紙７枚通帳の場合、挿入先端側の上頁９０３は表紙を含めた開頁までの合計厚みは約０．４３〜０．４７ｍｍ、同様に下頁９０４の合計厚みは約１．５９〜１．７０ｍｍである。その上下の厚みを合計した値が閉じ通帳の厚みになる。制御部１１０は、挿入された通帳は上頁先端が厚み検知ローラ対の手前にある搬送通過検知センサ９０２の通過を契機に厚み検知センサ７０１の監視を始める。搬送通過検知センサ９０２を通過後まもなく上頁９０３がまず厚み検知ローラ対９０６に突入し始める。
【００２９】
その通帳厚みに応じてローラブラケット６０３が回動し、上記遮蔽部が、狭持された厚み分だけセンサ受発光軸７０２を遮り、厚み検知ローラ対９０６が上頁９０３を搬送中は、上頁９０３の厚みを検出し続ける。上頁の搬送方向長さ８７．５ｍｍ（開通帳全長１７５ｍｍの半分）に対し搬送通過検知センサ９０５通過後８２ｍｍ付近まで上頁厚みの検出を行ない、その間の厚み値を記帳機内の制御部１１０に保持する。監視する通帳長さは、上頁側の長さよりも早めに監視を止めている。これは紙面平坦度が安定しない通帳の綴じ目部分の影響を避けるためである。つまり通帳の綴じ目から５ｍｍ程度の長さはセンサ検出値の精度を保つために監視対象から外している。通帳は継続して厚み検知ローラ上を通過し、綴じ目を通過後、約５ｍｍ進んだところで厚み検知センサが監視を再開し今度は下頁９０４の厚み検出を行ない、通帳下端が厚み検知ローラの奥に配された搬送通過検知センサ９０５を通過するまで監視を行なう。そしてその間に検出した厚みを制御部１１０に保持する。こうして制御部１１０に保持された上頁側の厚みと下頁側の厚みの和を、予め定義され制御部１１０に記憶している閉じ通帳の厚みと比較し、制御部１１０が閉じ通帳の厚み以下と判断されれば挿入された通帳は正常と判断され記帳機内の処理を継続する。
【００３０】
次に、検出すべきキャッシュカードが挟まれた通帳の場合を説明する。図１０は、搬送路を真上から見た状態であり、キャッシュカード１００３が通帳１００４の上頁中の任意の頁に挟まれた状態を表す。この図の状態ではキャッシュカード１００３は、図５のキャッシュカード５０２ａと同様、長手方向の一辺が、左フレーム６０６に幅寄せされ、通帳幅方向の左側に倣って搬送されている。通帳の表面厚みは、キャッシュカードが挟まれた左側は厚く、キャッシュカードが挟まれていない右側は相対的に薄く、左右間で段差がある状態である。この状態で挿入された通帳は、制御部１１０により、前記同様に搬送通過検知センサ９０２の通過を契機として、その厚みの監視が開始される。厚み検知ローラ９０６に掛かった通帳上頁側はカードが挟まれた左側を押圧ローラの左ローラ駒１００１が狭持し、左ローラ駒１００１は、その厚み分だけ搬送下面方向に下がることになる。
【００３１】
このときローラブラケット６０３は、取付け軸６０４を支点にしてローラブラケット幅全体が搬送面の上下方向に回動することとなる。本例ではキャッシュカード１００３が左寄りに通帳内に挟まれ、左ローラ駒１００１がキャッシュカードが挟まれた部位を狭持した場合である。しかし、キャッシュカードが右寄りに挟まれ右ローラ駒１００２がキャッシュカードが挟まれた部位を狭持したとしても、左右のローラ駒を支えているローラブラケット６０３は同様の回動をすることになる。よって、キャッシュカードが通帳サイズ内に収まっている限りはローラブラケット（６０３）の回動量は、ローラブラケット幅全域に渡って等しくなり、ローラブラケット６０３の厚み検知センサ７０１の作用部がセンサに組み込まれた回転板７０３を押し下げ、その押し下げ量により上頁側または下頁側の単位でキャッシュカードが挟まれた頁厚みを検出することが可能となる。前記した厚み検知ローラ１０８上の通帳通過における厚み監視によって記帳機内の制御部に保持した上頁側と下頁側の和が正常な閉じ通帳厚みを上回ることで通帳にキャッシュカードが挟まれていると判断し、取引き不可として通帳を挿入口へ排出し利用者に返却する。
【００３２】
なお、上記実施例はキャッシュカードの向きが通帳搬送方向に対し長手方向に挟まれた状態であるのに対し、図１１のようにキャッシュカードが短手方向（５４ｍｍ）として挟まれた場合１１０１は、通帳の上頁側、下頁側どちらの頁であったとしても頁長さは８７．５ｍｍでその差３３．５ｍｍ１１０２ある。したがって、カードが通帳の頁の端から綴じ目までの長さの中央に位置取っていたとしても３３．５ｍｍの半分のおよそ１６ｍｍの搬送方向の長さ範囲において、厚み検知ローラはその頁単位の搬送最中にキャッシュカード端部による段差を検知することになり、その段差の変移もまた厚み検知センサが検出することになる。このこと、つまり本来平坦な上頁側、下頁側の夫々で搬送中の紙面に段差が存在する場合は、上頁側と下頁側の総和をするまでもなく異物が挟まっていると判断し取引不可としても良い。
【００３３】
このように、本実施例における通帳記帳機では、挿入口１０１から挿入された通帳を搬送する搬送路１０９と、搬送路１０９の搬送方向の両側に設けられた搬送基準面４０２、フレーム６０６（第１の搬送基準面）および搬送基準面４０２に対抗する面、フレーム６０７（第２の搬送基準面）と、第１の搬送基準面から所定のカード媒体幅以下の位置に通帳の厚みを検知する厚み検知ローラ１０８の左駒（第１の厚み検知ローラ）と、第２の搬送基準面からカード媒体幅以下の位置に通帳の厚みを検知する厚み検知ローラ１０８の右駒（第２の厚み検知ローラ）とを有した厚み検知機構と、を備える通帳記帳機として構成される。また、厚み検知機構は、第１の厚み検知ローラと第２の厚み検知ローラとの間の距離は、カード媒体幅以下となるように配置されている。したがって、記帳機能の稼働安定性を向上させることができる。
【００３４】
また、通帳記帳機には、通帳の磁気情報を読み取るための磁気処理部１０３と、通帳の頁を認識するための光学読取り部１０２と、頁に取引情報を印字する印字部１０４とがこの順序で通帳の搬送方向に配置され、第１の厚み検知ローラおよび第２の厚み検知ローラは、少なくとも磁気処理部１０３以前の挿入口側の位置に配置されている。したがって、通帳に挟まれた異物を機器内部処理前に検出し、記帳機能の稼働安定性を向上させることができる。
【００３５】
また、厚み検知機構は、第１の厚み検知ローラおよび第２の厚み検知ローラに共通の回転軸Ａ’と、回転軸Ａ’を支持するブラケット６０３と、搬送路１０９から離間または近接する方向にブラケット６０３が回動する取付け軸６０４とを備え、搬送路１０９を搬送されてきた通帳の厚みによりブラケット６０３が取付け軸６０４を中心に離間する方向に変位する。したがって、通帳の一部にカード媒体が挟まっている場合でも全体としてその厚みを検知することができる。
【００３６】
また、第１の厚み検知ローラおよび第２の厚み検知ローラの変位量を検知するための厚み検知センサ７０１と、厚み検知センサ７０１を遮蔽するための回転板７０３であってブラケットからの押し下げ力を受けて回転板７０３を回転させる腕部Ｐを有した回転板７０３と、腕部Ｐによる回転板７０３の回転量を測定するためのスリット７０５と、を備える。したがって、簡素な機構で通帳の厚みの違いを測定することができる。
【００３７】
また、第１の厚み検知ローラおよび第２の厚み検知ローラは、押圧によるローラ表面のつぶれ量が０．４ｍｍ以下の剛体により形成される。したがって、既存の規格のキャッシュカードに追従して正確に通帳の厚みを検知することができる。
【００３８】
また、第１の厚み検知ローラは、第１の搬送基準面から５３ｍｍ未満の位置に配置され、第２の厚み検知ローラは、第１の搬送基準面から８７ｍｍを越える位置に配置される。また、第１の厚み検知ローラと第２の厚み検知ローラとの間の距離が５４ｍｍ未満となるように配置されている。したがって、既存の規格のキャッシュカードのサイズを考慮して当該カードが挟まった通帳厚みを検知することができる。
【００３９】
以上に説明したように、搬送ローラ対のローラ駒を通帳幅内において必ずキャッシュカードサイズが踏む配置とするハード構成と、その搬送ローラ対の押圧ローラ側の上下変移を監視するセンサを持ち、センサが検出した変移量から取り扱う通帳厚みを解析することで、記帳機内に取り込まれた通帳おいて頁間に挟まれたキャッシュカードの検出が可能となる。すなわち、検出対象物を限定することで既存搬送ローラの配置領域においてセンサを１箇所追加といった機器構成に大きな追加負担を掛けることなく、記帳機内部処理以前にキャッシュカード大サイズの異物であれば検出が可能となり、それによって記帳機内の通帳取扱いを未然防止し、通帳破壊および機器障害を低減することができる。  なお、本実施例では、図４、５等に示したように、厚み検知ローラが１本の軸に２つ設けられている場合について説明した。しかし、これに限らず、例えば、図５に示した厚み検知ローラ１０８のローラ２駒の端面間５０３に空間を設けず、２つの駒を繋げて１つの円柱状のローラとしてもよい。このような構成とした場合であっても、上記実施例と同様、キャッシュカードが左フレーム６０６に幅寄せされる場合、キャッシュカードが右フレーム６０７に幅寄せされる場合、キャッシュカードが左フレーム６０６および右フレーム６０７のいずれのフレームにも幅寄せされない場合でも、キャッシュカード等の平板状の媒体を検知することができる。
【００４０】
また、本実施例を活用すれば図１２に示すように開通帳の２冊重ね１２０１挿入も上頁側と下頁側の総和が正常の２倍となることで、異常挿入と判断し、取引き不可とすることもできる。
【符号の説明】
【００４１】
１０１        通帳
１０２        光学読取り部
１０３        磁気処理部
１０４        印字部
１０５        頁捲り機構部
１０６        挿入口
１０７Ａ、Ｂ  搬送ローラ
１０８        厚み検知ローラ
１０９        搬送路
１１０        制御部
７０１        厚み検知センサ
７０３        回転板
７０５        スリット
【図１】
2018165923.tif 000003
【図２】
2018165923.tif 000004
【図３】
2018165923.tif 000005
【図４】
2018165923.tif 000006
【図５】
2018165923.tif 000007
【図６】
2018165923.tif 000008
【図７】
2018165923.tif 000009
【図８】
2018165923.tif 000010
【図９】
2018165923.tif 000011
【図１０】
2018165923.tif 000012
【図１１】
2018165923.tif 000013
【図１２】
2018165923.tif 000014